(57)【要約】【課題】フォトフレームとしての用途だけでなく、マウスパッドなどとしても使用可能な装飾機能物品を提供する。【解決手段】透明ガラス板の表面１Ａに、透光性を損なわない微細な凹凸模様を形成する一方、透明ガラス板の滑らかな裏面１Ｂには、透光性に乏しい輪郭線５ａ，５ｂを描き、この輪郭線に沿ってプラスチック製シート２を貼着する。【選択図】          図１
2005013456.tif 000002
【特許請求の範囲】
【請求項１】
透明ガラス板の表面に、透光性を損なわない微細な凹凸模様を形成する一方、
透明ガラス板の滑らかな裏面には、透光性に乏しい輪郭線を描き、この輪郭線に沿ってシート体又は袋体を貼着してなる装飾機能物品。
【請求項２】
前記輪郭線に沿って入口部を除いて両面接着テープが貼着され、この両面接着テープを介して、シート体又は袋体が貼着されている請求項１に記載の装飾機能物品。
【請求項３】
前記ガラス板の厚みよりやや幅広の凹部を備える補助部材を用いて立設させてフォトフレームとして使用される請求項１又は２に記載の装飾機能物品。
【請求項４】
前記透明ガラス板の表面でマウスを移動させることによりマススパッドとして使用される請求項１〜３の何れかに記載の装飾機能物品。
【発明の詳細な説明】
【０００１】
【発明の属する技術分野】
本発明は、ガラスを用いた装飾機能物品に関し、特に、マウスパッドにもフォトフレームに使用可能な装飾機能物品に関する。
【０００２】
【従来の技術】
従来、恋人やアイドルなどの写真を飾るフォトフレームには各種のものが提案されているが、一般的には、写真類の前面を保護するガラス板と、ガラス板の周縁を保持する枠体と、ガラス板との間に写真を挟んで枠体と一体化される背面板とで構成されている。そして、背面板から保持脚が延設されてフォトフレームを立設させている。
【０００３】
【発明が解決しようとする課題】
しかしながら、このようなフォトフレームでは、ガラス板に触れた場合に指紋の跡が残ってしまい、折角の写真を台無しにし兼ねないという問題がある。また、装飾品たるフォトフレームとしての用途しかなく、その他の機能的な用途がなく物足りないものであった。
【０００４】
本発明は、上記の問題点に鑑みてなされたものであって、フォトフレームとしての用途だけでなく、マウスパッドなどとしても使用可能な装飾機能物品を提供することを課題とする。
【０００５】
【課題を解決するための手段】
上記の課題を解決するために、本発明に係る装飾機能物品は、透明ガラス板の表面に、透光性を損なわない微細な凹凸模様を形成する一方、透明ガラス板の滑らかな裏面には透光性に乏しい輪郭線を描き、この輪郭線に沿ってシート体又は袋体を貼着して構成されている。
【０００６】
本発明では、透明ガラス板の滑らかな裏面には透光性に乏しい輪郭線を描き、この輪郭線に沿ってシート体又は袋体を貼着しているので、透明ガラス板の表面側からシート体又は袋体の貼着面が目立つことがなく、意匠的な価値を損なうことがない。そして、シート体や袋体によって写真類を保持すれば、透光性を損なわない微細な凹凸模様を通して写真類を見ることができ、優しく上品な風合いが癒し感を実現できる。
【０００７】
また、本発明では、透明ガラス板の表面に、微細な凹凸模様を形成されているので、光学マウスを使用しても何の弊害もなく動作する。また、恋人やアイドルなどの写真類を本物品の裏側に収容してマウスパッドとして使用しても、通常のマウスパッドのように、繰り返し使用することで顔が汚れることはない。また、指紋が付くこともなく、必要があれば洗剤でガラス表面を洗うこともできる。更にまた、シート体や袋体で保持される写真類は、適宜に交換できる。なお、写真類とは、写真に類する全ての掲示物を意味している。
【０００８】
【発明の実施の形態】
以下、本発明を実施例に基づいて本発明の実施の形態を詳細に説明する。図１（ａ）は、実施例に係る装飾機能物品ＡＲＴ１を、フォトフレームとして使用した状態を示す斜視図であり、写真類ＰＨの挿入前の状態を示している。また、図２は、本物品ＡＲＴ１をマウスパッドとして使用した状態を示す斜視図である。
【０００９】
図２に示すように、本物品ＡＲＴ１をマウスパッドとして使用する場合には、本物品ＡＲＴ１の上でマウスＭＳを移動させれば足りるが、フォトフレームとして使用する場合には、図１（ａ）に示すように、２個の補助部材３を用いて本物品ＡＲＴ１を立設させることになる。
【００１０】
補助部材３は、プラスチック製の一体成形品であり、図１（ｂ）に示すように、本物品ＡＲＴ１の厚みよりやや幅広の凹部３ｃを有する左右側板３ａ，３ａと、図１（ｃ）に示す屈曲形状を有する天板３ｂとが一体化されて構成されている。なお、図１（ｃ）は、図１（ｂ）のＡ−Ａ線で切断した断面図である。
【００１１】
本物品ＡＲＴ１は、透明ガラス板で構成されており、裏面１Ｂは未加工のままで平坦面となっているが、表面１Ａには、微細なタペストリー（フロスト）加工が施されている。タペストリー加工とは、サンドブラストでガラス表面を微細に粗くした後、フッ酸によって滑らかに仕上げる加工を意味する。このようなタペストリー加工を施しているので、本物品ＡＲＴ１は、ガラスとしての透光性を何ら損なうことなく、ガラス表面１Ａが上品な風合いとなっている。
【００１２】
このように、本物品ＡＲＴ１のガラス表面１Ａには不規則な凹凸模様が形成されているので、人の手で触っても指紋の跡が付かないだけでなく、本物品ＡＲＴ１の上でマウスを移動させた場合、それが光学マウスであっても、マウスの移動方向と移動距離を確実に認識することができる。
【００１３】
光学マウスは、回転体たる球形ボールを内蔵しないタイプのマウスであり、マウス下面の画像を常時追跡して、その画像の変化からマウスの移動方向と移動距離を算出するポインタ装置である。したがって、マウス下面が滑らかなガラス表面の場合には、認識する画像に変化が生じないので、光学マウスがポインタ装置として機能しないが、本物品の表面には微細な凹凸模様が形成されているので、光学マウスの場合でも正常に動作する。
【００１４】
図３（ａ）は、本物品ＡＲＴ１の裏面１Ｂを図示したものである。図示の通り、本物品ＡＲＴ１の裏面１Ｂの四隅には、エラストマ４（好適にはシリコーン）が半球状に接着されて、マウスパッドの脚部を形成している。エラストマ４は適度な弾力を有しているので、本物品ＡＲＴ１を机の上などに柔らかく配置することができ、しかも、適度な摩擦係数を有しているので、その配置位置に確実に定着する。
【００１５】
また、本物品ＡＲＴ１の裏面１Ｂの中央には、その位置に挿入される写真類ＰＨの輪郭線５ａ，５ｂとなる印刷面が二重に形成されている。そして、外側の輪郭線５ａに対応して、同一形状のプラスチック製シート２が、本物品の裏面１Ｂの中央に貼着されている。輪郭線５ａ，５ｂは、透光性に乏しい塗料で描かれているので、表面側１Ａから貼着面（両面接着テープ）が見えることはない。
【００１６】
図３（ｂ）は、ガラス基板の裏面１Ｂに貼着される前のプラスチック製シート２を図示したものであり、写真類ＰＨの入口側には、略半円形の切込み２ａが形成されている。また、前記入口側を除くプラスチック製シート２の三辺には、両面接着テープ６ａ，６ｂが貼着されている。この両面接着テープ６ａ，６ｂの厚さは、プラスチック製シートの位置に挿入されるべき写真類ＰＨの厚さに対応して、写真類ＰＨよりやや厚く形成されている。
【００１７】
図３（ｂ）の状態のプラスチック製シート２は、１８０度反転されて外側輪郭線５ａの位置に押し当てられる。すると、両面接着テープ６ａ，６ｂがガラス裏面１Ｂに接着されて、写真類ＰＨの挿入部が完成される。先に説明した通り、ガラス裏面１Ｂは平坦面であるので、輪郭線５ａ，５ｂの印刷作業やプラスチック製シート２の接着作業には何の困難もない。
【００１８】
図４（ａ）は、完成状態の本物品ＡＲＴ１の断面形状を図示したものである。外周縁を一様に面取りされたガラス表面１Ａと、両面接着テープ６ａ，６ｂ及びプラスチック製シート２が積層されたガラス裏面１Ｂとが示されている。なお、図４（ｂ）は、完成状態の本物品について、図３（ａ）のＢ−Ｂ線で切断した中央断面図である。
【００１９】
図５は、第２実施例に係る装飾機能物品ＡＲＴ２を示す正面図である。この装飾機能物品ＡＲＴ２は、正面形状が異なる以外は、第１実施例に係る装飾機能物品ＡＲＴ１と全く同様であり、正面形状を除くガラス板の大きさや厚み、及びプラスチック製シートや両面接着テープの厚みも含め全てが同一である。なお、装飾機能物品ＡＲＴ２の左右幅は、装飾機能物品ＡＲＴ１の左右幅（図３の上下幅）と同一に設定されている。
【００２０】
その他、図６（ａ）〜図６（ｄ）のような形状を採用するもの好適であり、これらも、正面形状が異なる以外は、第１実施例に係る装飾機能物品ＡＲＴ１と全く同様である。なお、各変形例において左右の最大幅は、装飾機能物品ＡＲＴ１の左右幅と同一であり、正面形状を除くガラス板の大きさや厚み、及びプラスチック製シートや両面接着テープの厚みも含め全てが同じである。
【００２１】
なお、図７〜図９は、第１実施例の装飾機能物品ＡＲＴ１について、正面図、背面図、左右側面図、平面図について、各図の関係をより正確に図示したものである。そして、底面図は、平面図と対称に現れる。
【００２２】
以上、本発明の一実施例を具体的に説明したが、具体的な記載内容は、特に本発明を限定するものではなく、本発明の趣旨を逸脱することなく各種の改変が可能である。
【００２３】
【発明の効果】
以上説明したように、本発明によれば、フォトフレームとしての用途だけでなく、マウスパッドなどとしても使用可能な装飾機能物品を実現できる。
【図面の簡単な説明】
【図１】フォトフレームとしての使用状態を示す装飾機能物品の斜視図である。
【図２】マウスパッドとしての使用状態を示す装飾機能物品の斜視図である。
【図３】装飾機能物品の裏面側の構造を説明する平面図である。
【図４】装飾機能物品の断面構造を説明する図面である。
【図５】装飾機能物品の他の実施例を説明する平面図である。
【図６】装飾機能物品の他の実施例を説明する平面図である。
【図７】図１に示す装飾機能物品を別に示す図面である。
【図８】図１に示す装飾機能物品を別に示す図面である。
【図９】図１に示す装飾機能物品を別に示す図面である。
【符号の説明】
１Ａ      透明ガラス板の表面
１Ｂ      透明ガラス板の裏面
５ａ、５ｂ  輪郭線
２          シート体（プラスチック製シート）
【図１】
2005013456.tif 000003
【図２】
2005013456.tif 000004
【図３】
2005013456.tif 000005
【図４】
2005013456.tif 000006
【図５】
2005013456.tif 000007
【図６】
2005013456.tif 000008
【図７】
2005013456.tif 000009
【図８】
2005013456.tif 000010
【図９】
2005013456.tif 000011